(57)【要約】  手動でバーナの角度を調整でき、かつ、バーナの回転位置を容易に得ることができるフレーム式原子吸光分光光度計を提供する。原子化部１２は、燃料ガス及び助燃ガスの混合ガスをバーナ１２１で燃焼させてフレームを形成し、当該フレーム中に試料を噴霧することにより試料を原子化する。光源は、フレーム中に測定光を照射する。検出器は、フレーム中を通過した測定光を検出する。手動回転機構（把持部１２４など）は、バーナ１２１を手動で回転させて、測定光の光路Ｐに対するバーナ１２１の角度を変化させる。回転位置検出部１２５は、バーナ１２１の回転位置を検出する。
2019012580.tif 000002
【特許請求の範囲】
【請求項１】
燃料ガス及び助燃ガスの混合ガスをバーナで燃焼させてフレームを形成し、当該フレーム中に試料を噴霧することにより試料を原子化する原子化部と、
前記フレーム中に測定光を照射する光源と、
前記フレーム中を通過した測定光を検出する検出器と、
前記バーナを手動で回転させて、測定光の光路に対する前記バーナの角度を変化させる手動回転機構と、
前記バーナの回転位置を検出する回転位置検出部とを備えることを特徴とするフレーム式原子吸光分光光度計。
【請求項２】
前記回転位置検出部は、前記バーナの回転位置を離散的に検出することを特徴とする請求項１に記載のフレーム式原子吸光分光光度計。
【請求項３】
前記回転位置検出部は、前記バーナの回転位置を連続的に検出することを特徴とする請求項１に記載のフレーム式原子吸光分光光度計。
【請求項４】
前記回転位置検出部により検出される前記バーナの回転位置を装置条件として記憶する記憶部をさらに備えることを特徴とする請求項１に記載のフレーム式原子吸光分光光度計。
【請求項５】
前記記憶部には、既知試料を測定することにより得られた検量線データに対応付けて、当該検量線データが得られたときの前記バーナの回転位置が装置条件として記憶されることを特徴とする請求項４に記載のフレーム式原子吸光分光光度計。
【請求項６】
未知試料を測定することにより得られた測定データと、その測定時と同じ装置条件で得られた前記検量線データとに基づいて、試料の濃度を算出する試料濃度算出部をさらに備え、
前記記憶部には、前記試料濃度算出部により算出された試料の濃度、及び、その試料の濃度の算出時に用いられた検量線データに対応付けて、当該検量線データが得られたときの前記バーナの回転位置が装置条件として記憶されることを特徴とする請求項５に記載のフレーム式原子吸光分光光度計。
【請求項７】
前記試料濃度算出部により算出された試料の濃度、その試料の濃度の算出時に用いられた検量線データ、及び、当該検量線データが得られたときの前記バーナの回転位置を含む装置条件を、レポートデータとして出力するデータ出力部をさらに備えることを特徴とする請求項６に記載のフレーム式原子吸光分光光度計。
【発明の詳細な説明】
【技術分野】
【０００１】
本発明は、燃料ガス及び助燃ガスの混合ガスをバーナで燃焼させてフレームを形成し、当該フレーム中に試料を噴霧することにより原子化された試料の原子吸光を測定するためのフレーム式原子吸光分光光度計に関するものである。
【背景技術】
【０００２】
原子吸光分光光度計の一例として、フレーム式の原子吸光分光光度計が知られている。この種の原子吸光分光光度計では、燃料ガス及び助燃ガスの混合ガスをバーナで燃焼させることにより、フレーム（炎）が形成される。そして、このフレーム中に試料を噴霧して、試料を原子化させることにより、原子化された試料の原子吸光を測定することができる。【０００３】
原子吸光測定の際には、試料の濃度と吸光度との関係を表す検量線が用いられる。検量線は、試料の濃度が低い範囲では直線性が高いが、試料の濃度が高い範囲では直線性が低く、測定精度が低下するという特性がある。そのため、試料の濃度が高い場合には、バーナの角度を調整することにより、吸光感度を低下させることが一般的に行われている（例えば、下記特許文献１参照）。
【先行技術文献】
【特許文献】
【０００４】
【特許文献１】特公平７−１１４８４号公報
【発明の概要】
【発明が解決しようとする課題】
【０００５】
上記のようにバーナの角度を調整して感度調整を行う場合、測定結果のトレーサビリティの観点から、測定結果とバーナの角度とを対応付けて記憶しておくことが望ましい。上記特許文献１のように、バーナの角度をモータで調整するような構成の場合には、モータの回転角からバーナの角度を容易に得ることができるため、そのバーナの角度を測定結果に対応付けて記憶させることができる。【０００６】
しかしながら、バーナの角度をモータで調整するような構成では、機構が複雑であり、モータの故障などが生じるおそれがある。また、バーナは、使用する助燃ガスの種類に応じて交換する必要があるが、モータなどの駆動機構があることにより交換作業が煩雑になる。そこで、バーナの角度を手動で調整することが考えられるが、この場合には、モータの回転角からバーナの角度を得ることができないという問題がある。【０００７】
本発明は、上記実情に鑑みてなされたものであり、手動でバーナの角度を調整でき、かつ、バーナの回転位置を容易に得ることができるフレーム式原子吸光分光光度計を提供することを目的とする。また、本発明は、手動でバーナの角度を調整する構成を採用しつつ、測定結果のトレーサビリティを確保することができるフレーム式原子吸光分光光度計を提供することを目的とする。
【課題を解決するための手段】
【０００８】
（１）本発明に係るフレーム式原子吸光分光光度計は、原子化部と、光源と、検出器と、手動回転機構と、回転位置検出部とを備える。前記原子化部は、燃料ガス及び助燃ガスの混合ガスをバーナで燃焼させてフレームを形成し、当該フレーム中に試料を噴霧することにより試料を原子化する。前記光源は、前記フレーム中に測定光を照射する。前記検出器は、前記フレーム中を通過した測定光を検出する。前記手動回転機構は、前記バーナを手動で回転させて、測定光の光路に対する前記バーナの角度を変化させる。前記回転位置検出部は、前記バーナの回転位置を検出する。【０００９】
このような構成によれば、手動回転機構により手動でバーナの角度を調整することができる。また、バーナの回転位置を回転位置検出部で検出することができるため、バーナの回転位置を容易に得ることができる。さらに、回転位置検出部で検出したバーナの回転位置と測定結果との関係を対応付けることが可能となるため、測定結果のトレーサビリティを確保することができる。【００１０】
（２）前記回転位置検出部は、前記バーナの回転位置を離散的に検出してもよい。【００１１】
このような構成によれば、バーナの回転位置を離散的に検出し、各回転位置と測定結果との関係を対応付けることができる。したがって、回転位置検出部により検出される各回転位置における測定結果のトレーサビリティを確保することができる。【００１２】
（３）前記回転位置検出部は、前記バーナの回転位置を連続的に検出してもよい。【００１３】
このような構成によれば、バーナの回転位置を連続的に検出し、連続する各回転位置と測定結果との関係を対応付けることができる。したがって、測定結果のトレーサビリティをより向上することができる。【００１４】
（４）前記フレーム式原子吸光分光光度計は、前記回転位置検出部により検出される前記バーナの回転位置を装置条件として記憶する記憶部をさらに備えていてもよい。【００１５】
このような構成によれば、バーナの回転位置が装置条件として記憶部に記憶されるため、測定結果を確認する際に、装置条件の一部としてバーナの回転位置を記憶部から読み出して確認することができる。したがって、測定結果のトレーサビリティをより向上することができる。【００１６】
（５）前記記憶部には、既知試料を測定することにより得られた検量線データに対応付けて、当該検量線データが得られたときの前記バーナの回転位置が装置条件として記憶されてもよい。【００１７】
このような構成によれば、検量線データが得られたときのバーナの回転位置を、装置条件の一部として記憶部から読み出して確認することができるため、測定結果のトレーサビリティをより向上することができる。【００１８】
（６）前記フレーム式原子吸光分光光度計は、試料濃度算出部をさらに備えていてもよい。前記試料濃度算出部は、未知試料を測定することにより得られた測定データと、その測定時と同じ装置条件で得られた前記検量線データとに基づいて、試料の濃度を算出する。この場合、前記記憶部には、前記試料濃度算出部により算出された試料の濃度、及び、その試料の濃度の算出時に用いられた検量線データに対応付けて、当該検量線データが得られたときの前記バーナの回転位置が装置条件として記憶されてもよい。【００１９】
このような構成によれば、未知試料の測定データと検量線データとに基づいて算出された試料の濃度を測定結果として確認する際に、その試料の濃度の算出時に用いられた検量線データが得られたときのバーナの回転位置を、装置条件の一部として記憶部から読み出して確認することができる。【００２０】
（７）前記フレーム式原子吸光分光光度計は、データ出力部をさらに備えていてもよい。前記データ出力部は、前記試料濃度算出部により算出された試料の濃度、その試料の濃度の算出時に用いられた検量線データ、及び、当該検量線データが得られたときの前記バーナの回転位置を含む装置条件を、レポートデータとして出力する。【００２１】
このような構成によれば、未知試料の測定データと検量線データとに基づいて算出された試料の濃度を測定結果としてレポートデータで確認する際に、その試料の濃度の算出時に用いられた検量線データと、当該検量線データが得られたときのバーナの回転位置を、装置条件の一部として確認することができる。
【発明の効果】
【００２２】
本発明によれば、手動回転機構により手動でバーナの角度を調整することができ、かつ、回転位置検出部によりバーナの回転位置を容易に得ることができる。また、本発明によれば、回転位置検出部で検出したバーナの回転位置と測定結果との関係を対応付けることが可能となるため、測定結果のトレーサビリティを確保することができる。
【図面の簡単な説明】
【００２３】
【図１】本発明の一実施形態に係る原子吸光分光光度計の構成例を示した概略図である。
【図２】原子化部の具体的構成を示した斜視図である。
【図３Ａ】バーナの回転機構について説明するための平面図であり、バーナの吹出口が測定光の光路に沿った状態を示している。
【図３Ｂ】バーナの回転機構について説明するための平面図であり、バーナの吹出口が測定光の光路に対して直交する状態を示している。
【図４】制御部の具体的構成を示したブロック図である。
【図５】データ出力部により出力されるレポートデータの具体例を示した図である。
【図６Ａ】バーナの回転機構の変形例について説明するための平面図であり、バーナの吹出口が測定光の光路に沿った状態を示している。
【図６Ｂ】バーナの回転機構の変形例について説明するための平面図であり、バーナの吹出口が測定光の光路Ｐに対して直交する状態を示している。
【発明を実施するための形態】
【００２４】
１．原子吸光分光光度計の全体構成
図１は、本発明の一実施形態に係る原子吸光分光光度計１の構成例を示した概略図である。この原子吸光分光光度計１は、燃料ガス及び助燃ガスの混合ガスを燃焼させることによりフレーム２を形成し、そのフレーム２中に試料を噴霧することにより原子化された試料の原子吸光を測定するためのフレーム式原子吸光分光光度計である。
【００２５】
原子吸光分光光度計１には、光源１１、原子化部１２、検出器１３、測光部１４、制御部１５、表示部１６及び操作部１７などが備えられている。図１において、実線の矢印は信号の流れを表しており、破線の矢印は測定光の流れを表している。
【００２６】
光源１１は、例えばホロカソードランプにより構成されている。光源１１から出射される光は、輝線スペクトルを含む測定光であり、フレーム２に照射される。フレーム２に照射された測定光は、フレーム２中に含まれる原子化された試料の成分により特定の波長が吸収される。このようにして特定の波長が吸収された測定光は、フレーム２を通過した後、検出器１３により検出される。
【００２７】
原子化部１２には、燃料ガス、助燃ガス及び試料が供給される。燃料ガスとしては、例えばアセチレンガス（Ｃ２Ｈ２）を用いることができる。また、助燃ガスとしては、例えば空気又は亜酸化窒素ガス（Ｎ２Ｏ）を用いることができる。ただし、燃料ガス及び助燃ガスは、上記のようなガスに限られるものではない。
【００２８】
原子化部１２では、燃料ガス及び助燃ガスが混合されることにより混合ガスが生成され、その混合ガスが燃焼されることにより、分析中は連続的にフレーム２が形成された状態となる。また、試料は霧化された上で混合ガスに混合され、混合ガスとともにフレーム２中に供給される。これにより、フレーム２中に試料が噴霧され、フレーム２の熱によって試料が原子化される。
【００２９】
検出器１３は、例えば光電子増倍管により構成されている。フレーム２中を通過した測定光は検出器１３により検出され、光電変換によって光強度に応じた電気信号が検出器１３から出力される。測光部１４は、検出器１３からの出力信号を増幅するとともに、Ａ／Ｄ変換によりデジタル信号に変換する。
【００３０】
制御部１５は、検出器１３から測光部１４を介して入力される信号に基づいて、試料中の成分の濃度を演算する処理を行う。具体的には、試料中の成分により特定の波長が吸収されるため、試料中の成分の濃度と吸光度との関係を表す検量線を用いて演算を行うことにより、試料中の成分の濃度を算出することができる。
【００３１】
制御部１５には、表示部１６及び操作部１７が接続されている。表示部１６は、例えば液晶表示器により構成されており、原子吸光分光光度計１による試料の測定結果などが表示される。操作部１７は、例えばキーボード及びマウスにより構成されており、分析時の装置の条件（装置条件）を設定する際などにユーザにより操作される。
【００３２】
２．原子化部の具体的構成
図２は、原子化部１２の具体的構成を示した斜視図である。原子化部１２には、燃料ガス及び助燃ガスの混合ガスを燃焼させるためのバーナ１２１が備えられている。バーナ１２１は、例えば直方体などの長尺形状で形成されており、その長尺方向が水平に延びるように配置されている。
【００３３】
バーナ１２１の上面には、長手方向に一直線上に延びる吹出口１２２が形成されている。分析時には、吹出口１２２から燃料ガス及び助燃ガスの混合ガスが連続的に吹き出されて燃焼される。これにより、吹出口１２２の上方には、当該吹出口１２２に沿って一直線上に延びるフレームが形成される。
【００３４】
バーナ１２１の下面には、鉛直方向に延びる回転軸１２３が設けられている。バーナ１２１は、回転軸１２３を中心に水平面内で回転自在となっている。したがって、回転軸１２３を中心にバーナ１２１を回転させることにより、吹出口１２２の角度を手動で調整することができる。
【００３５】
図２の状態では、光源１１からの測定光の光路Ｐに沿って吹出口１２２が延びている。この状態では、光源１１からの測定光が、吹出口１２２の上方に形成されるフレーム中を一端から他端まで通過する。そのため、フレーム中の原子化された試料の成分による測定光の吸光度が高くなる。
【００３６】
検量線は、試料中の成分の濃度と吸光度との関係を表しており、濃度が高いほど吸光度が高くなるような直線で表される。しかし、試料中の成分の濃度が比較的高い領域では、検量線の直線性が悪くなり、分析の精度が低下してしまう。そこで、試料中の成分の濃度が高い場合には、バーナ１２１を回転させてフレームの角度を変化させ、測定光がフレーム中を通過する距離を短くする。これにより、吸光度が下がり、検量線における直線性が高い部分を用いて試料中の成分の濃度を算出することができるため、分析の精度が向上する。
【００３７】
３．バーナの回転機構
図３Ａ及び図３Ｂは、バーナ１２１の回転機構について説明するための平面図である。図３Ａは、バーナ１２１の吹出口１２２が測定光の光路Ｐに沿った状態を示している。一方、図３Ｂは、バーナ１２１の吹出口１２２が測定光の光路Ｐに対して直交する状態を示している。
【００３８】
バーナ１２１には、把持部１２４が設けられている。ユーザは、把持部１２４を把持して力を加えることにより、回転軸１２３を中心にバーナ１２１を回転させることができる。すなわち、回転軸１２３及び把持部１２４は、バーナ１２１を手動で回転させるための手動回転機構を構成している。この手動回転機構により、測定光の光路Ｐに対するバーナ１２１の角度を手動で変化させることができる。なお、図２では、把持部１２４を省略して示している。
【００３９】
また、原子化部１２には、バーナ１２１の回転位置を検出する回転位置検出部１２５が設けられている。この例では、回転位置検出部１２５には、光学センサ１２５Ａ及び遮光部１２５Ｂが含まれる。光学センサ１２５Ａは、例えば発光部及び受光部（いずれも図示せず）を備えており、発光部からの光を受光部で受光するか否かに基づいて、バーナ１２１の回転位置を検出することができる。
【００４０】
遮光部１２５Ｂは、バーナ１２１に設けられており、バーナ１２１の回転に伴って回転軸１２３を中心に回転移動する。光学センサ１２５Ａは、バーナ１２１の回転に伴い移動する遮光部１２５Ｂの軌道上に複数設けられている。具体的には、回転軸１２３を中心にして、周方向に等間隔で複数の光学センサ１２５Ａが配置されている。
【００４１】
これにより、バーナ１２１の回転位置に応じて、いずれかの光学センサ１２５における発光部からの光が遮光部１２５Ｂにより遮られ、その発光部からの光が受光部で受光されない状態となる。したがって、各光学センサ１２５Ａにおける受光量に基づいて、バーナ１２１の回転位置を離散的（断続的）に検出することができる。なお、図２では、回転位置検出部１２５を省略して示している。
【００４２】
ただし、離散的に検出を行う回転位置検出部１２５は、光学センサに限らず、例えば静電容量センサや、リミットスイッチなどの接触式センサのように、他の各種センサにより構成されてもよい。
【００４３】
４．制御部の具体的構成
図４は、制御部１５の具体的構成を示したブロック図である。制御部１５は、例えばＣＰＵ（Central Processing Unit）を含む構成である。制御部１５は、ＣＰＵがプログラムを実行することにより、記憶処理部１５１、検量線生成部１５２、試料濃度算出部１５３及びデータ出力部１５４などとして機能する。制御部１５は、例えばハードディスク又はＲＡＭ（Random Access Memory）により構成される記憶部１８に対して、データの入出力を行うことができるようになっている。
【００４４】
記憶処理部１５１は、記憶部１８に対してデータを出力することにより、記憶部１８にデータを記憶させるための処理を行う。例えば、ユーザが操作部１７を操作することにより装置条件の設定を行った場合には、その装置条件のデータが記憶処理部１５１により記憶部１８に記憶される。装置条件とは、分析時の装置の設定条件であり、上述のようなバーナ１２１の回転位置の他、例えば燃料ガス及び助燃ガスの流量、バーナ１２１の高さといった原子化部１２についての各種設定条件や、他の各種パラメータが含まれる。
【００４５】
検量線生成部１５２は、含有成分の濃度が既知の試料（既知試料）を測定することにより測光部１４から入力される測定データに基づいて、検量線を生成するための処理を行う。検量線生成部１５２により生成された検量線のデータは、記憶処理部１５１により記憶部１８に記憶される。このとき、既知試料の測定時における装置条件（検量線データが得られたときのバーナ１２１の回転位置などの装置条件）が、検量線データに対応付けて記憶部１８に記憶される。
【００４６】
含有成分の濃度が未知の試料（未知試料）を測定した場合には、記憶処理部１５１が測光部１４から入力される測定データを記憶部１８に記憶させる。この場合にも、未知試料の測定時における装置条件（測定データが得られたときのバーナ１２１の回転位置などの装置条件）が、測定データに対応付けて記憶部１８に記憶される。
【００４７】
試料濃度算出部１５３は、未知試料を測定することにより得られた測定データに基づいて、未知試料に含まれる成分の濃度を算出する。具体的には、未知試料の測定時と同じ装置条件で得られた検量線データが記憶部１８から読み出され、その検量線データと未知試料の測定データとが比較されることにより、試料の濃度が算出される。
【００４８】
試料濃度算出部１５３により算出された試料の濃度は、測定結果として記憶部１８に記憶される。このとき、算出された試料の濃度は、その試料の濃度の算出時に用いられた検量線データ、及び、当該検量線データが得られたときのバーナ１２１の回転位置などの装置条件に対応付けて、記憶部１８に記憶される。
【００４９】
データ出力部１５４は、記憶部１８に記憶されているデータを出力するための処理を行う。データ出力部１５４から出力されるデータは、測定結果を表すレポートデータとして表示部１６に表示され、ユーザにより確認される。ただし、データ出力部１５４から出力されるレポートデータは、表示部１６に対する表示に限らず、印刷などの他の方法でユーザに提供されてもよい。
【００５０】
５．レポートデータの具体例
図５は、データ出力部１５４により出力されるレポートデータの具体例を示した図である。レポートデータには、測定結果の他、その測定時における装置条件、及び、測定時に用いられた検量線データなどが含まれる。
【００５１】
レポートデータ中の測定結果には、例えば試料濃度算出部１５３により算出された試料の濃度の他、測光部１４からの測定データに基づいて算出された吸光度など、試料の測定により得られる各種データが含まれる。レポートデータ中の検量線データは、試料の濃度の算出時に用いられた検量線データであり、例えば試料中の成分の濃度と吸光度との関係がグラフで表される。レポートデータ中の装置条件には、例えば測定時におけるバーナ１２１の回転位置（バーナ角度）などが含まれる。このバーナ角度は、レポートデータ中の検量線データが得られたときのバーナ１２１の回転位置と等しい。
【００５２】
６．作用効果
（１）本実施形態では、把持部１２４により手動でバーナ１２１の角度を調整することができる。また、バーナ１２１の回転位置を回転位置検出部１２５で検出することができるため、バーナ１２１の回転位置を容易に得ることができる。さらに、回転位置検出部１２５で検出したバーナ１２１の回転位置と測定結果との関係を対応付けることが可能となるため、測定結果のトレーサビリティを確保することができる。
【００５３】
（２）また、本実施形態では、回転位置検出部１２５によりバーナ１２１の回転位置を離散的に検出し、各回転位置と測定結果との関係を対応付けることができる。したがって、回転位置検出部１２５により検出される各回転位置における測定結果のトレーサビリティを確保することができる。回転位置検出部１２５により検出される回転位置以外のバーナ１２１の回転位置については、例えば補間法を用いて測定結果と対応付けることができる。
【００５４】
（４）本実施形態では、バーナ１２１の回転位置が装置条件として記憶部１８に記憶されるため、測定結果を確認する際に、装置条件の一部としてバーナ１２１の回転位置を記憶部１８から読み出して確認することができる。したがって、測定結果のトレーサビリティをより向上することができる。
【００５５】
（５）特に、本実施形態では、既知試料を測定することにより得られた検量線データに対応付けて、当該検量線データが得られたときのバーナ１２１の回転位置が装置条件として記憶部１８に記憶される。これにより、検量線データが得られたときのバーナ１２１の回転位置を、装置条件の一部として記憶部１８から読み出して確認することができるため、測定結果のトレーサビリティをより向上することができる。
【００５６】
（６）さらに、本実施形態では、試料濃度算出部１５３により算出された試料の濃度、及び、その試料の濃度の算出時に用いられた検量線データに対応付けて、当該検量線データが得られたときのバーナ１２１の回転位置が装置条件として記憶部１８に記憶される。これにより、未知試料の測定データと検量線データとに基づいて算出された試料の濃度を測定結果として確認する際に、その試料の濃度の算出時に用いられた検量線データが得られたときのバーナ１２１の回転位置を、装置条件の一部として記憶部１８から読み出して確認することができる。
【００５７】
（７）また、本実施形態では、試料濃度算出部１５３により算出された試料の濃度、その試料の濃度の算出時に用いられた検量線データ、及び、当該検量線データが得られたときのバーナ１２１の回転位置を含む装置条件が、データ出力部１５４によりレポートデータとして出力される。これにより、未知試料の測定データと検量線データとに基づいて算出された試料の濃度を測定結果としてレポートデータで確認する際に、その試料の濃度の算出時に用いられた検量線データと、当該検量線データが得られたときのバーナ１２１の回転位置を、装置条件の一部として確認することができる。
【００５８】
７．変形例
図６Ａ及び図６Ｂは、バーナ１２１の回転機構の変形例について説明するための平面図である。図６Ａは、バーナ１２１の吹出口１２２が測定光の光路Ｐに沿った状態を示している。一方、図６Ｂは、バーナ１２１の吹出口１２２が測定光の光路Ｐに対して直交する状態を示している。
【００５９】
この例では、回転位置検出部１２５の構成が上記実施形態とは異なっている。具体的には、この例における回転位置検出部１２５は、上記実施形態のようにバーナ１２１の回転位置を離散的に検出するのではなく、連続的に検出するような構成となっている。回転位置検出部１２５以外の構成については、上記実施形態と同様であるため、同様の構成については図に同一符号を付して詳細な説明を省略する。
【００６０】
光学センサ１２５Ａは、上記実施形態のように複数設けられた構成ではなく、１つだけ設けられている。この光学センサ１２５は、上記実施形態と同様に発光部及び受光部を備えており、受光部における受光量に応じて異なる強度の信号を出力するようになっている。
【００６１】
遮光部１２５Ｂは、上記実施形態と同様にバーナ１２１に設けられており、バーナ１２１の回転に伴って回転軸１２３を中心に回転移動するが、上記実施形態とは異なり、常に光学センサ１２５における発光部からの光を遮っている。ただし、図６Ａ及び図６Ｂに示すように、バーナ１２１の回転位置に応じて、遮光部１２５Ｂが光を遮る量が異なっている。したがって、バーナ１２１の回転に伴い連続的に変化する光学センサ１２５Ａの受光部における受光強度に基づいて、バーナ１２１の回転位置を連続的に検出することができる。
【００６２】
これにより、バーナ１２１の回転位置を連続的に検出し、連続する各回転位置と測定結果との関係を対応付けることができる。したがって、測定結果のトレーサビリティをより向上することができる。
【００６３】
ただし、連続的に検出を行う回転位置検出部１２５は、光学センサに限らず、例えば静電容量センサのように、他の各種センサにより構成されてもよい。
【００６４】
以上の実施形態では、バーナ１２１を手動で回転させるための手動回転機構が、回転軸１２３及び把持部１２４により構成される場合について説明した。しかし、手動回転機構は、バーナ１２１を手動で回転させることができるような構成であればよく、例えば把持部１２４を備えていない構成などであってもよい。
【００６５】
また、回転位置検出部１２５の構成についても、上記実施形態及び変形例に示すような構成に限らず、他の各種構成を採用することができる。
【符号の説明】
【００６６】
１        原子吸光分光光度計
２        フレーム
１１      光源
１２      原子化部
１３      検出器
１４      測光部
１５      制御部
１６      表示部
１７      操作部
１８      記憶部
１２１    バーナ
１２２    吹出口
１２３    回転軸
１２４    把持部
１２５    回転位置検出部
１２５Ａ  光学センサ
１２５Ｂ  遮光部
１５１    記憶処理部
１５２    検量線生成部
１５３    試料濃度算出部
１５４    データ出力部
【図１】
2019012580.tif 000003
【図２】
2019012580.tif 000004
【図３Ａ】
2019012580.tif 000005
【図３Ｂ】
2019012580.tif 000006
【図４】
2019012580.tif 000007
【図５】
2019012580.tif 000008
【図６Ａ】
2019012580.tif 000009
【図６Ｂ】
2019012580.tif 000010
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
燃料ガス及び助燃ガスの混合ガスをバーナで燃焼させてフレームを形成し、当該フレーム中に試料を噴霧することにより試料を原子化する原子化部と、
前記フレーム中に測定光を照射する光源と、
前記フレーム中を通過した測定光を検出する検出器と、
前記バーナを手動で回転させて、測定光の光路に対する前記バーナの角度を変化させる手動回転機構と、
前記バーナの回転位置を離散的に検出する回転位置検出部と、
既知試料を測定することにより得られた検量線データに対応付けて、当該検量線データが得られたときの前記バーナの回転位置が装置条件として記憶される記憶部とを備えることを特徴とするフレーム式原子吸光分光光度計。
【請求項２】
未知試料を測定することにより得られた測定データと、その測定時と同じ装置条件で得られた前記検量線データとに基づいて、試料の濃度を算出する試料濃度算出部をさらに備え、
前記記憶部には、前記試料濃度算出部により算出された試料の濃度、及び、その試料の濃度の算出時に用いられた検量線データに対応付けて、当該検量線データが得られたときの前記バーナの回転位置が装置条件として記憶されることを特徴とする請求項１に記載のフレーム式原子吸光分光光度計。
【請求項３】
前記試料濃度算出部により算出された試料の濃度、その試料の濃度の算出時に用いられた検量線データ、及び、当該検量線データが得られたときの前記バーナの回転位置を含む装置条件を、レポートデータとして出力するデータ出力部をさらに備えることを特徴とする請求項２に記載のフレーム式原子吸光分光光度計。
【国際調査報告】
2019012580.tif 000011
2019012580.tif 000012
2019012580.tif 000013
2019012580.tif 000014